(57)【要約】【課題】光ディスク装置において、記録ストラテジの調整を容易化する。【解決手段】光ディスク装置の光ピックアップ１６として、複数の光源、例えばＣＤ用ＬＤとＤＶＤ用ＬＤを搭載した光ピックアップとする。光ディスク１０としてＣＤ−Ｒ／ＲＷが搭載されたときには、ＣＤ用レーザ光にてテストデータを記録し、ＤＶＤ用レーザ光にてこのテストデータを再生してピット長及びランド長を測定し記録ストラテジを調整する。【選択図】図１
2010092551.tif 000002
【特許請求の範囲】
【請求項１】
光ディスク装置であって、
光ディスクに第１レーザ光でテストデータを記録する記録手段と、
前記テストデータを前記第１レーザ光の波長よりも短く、かつ、前記テストデータの最小ピット径よりもそのスポット径が小さい第２レーザ光で再生する再生手段と、
前記再生手段で得られた前記テストデータの再生波形に基づいて、データを記録する際の記録ストラテジを調整する調整手段と、
を有することを特徴とする光ディスク装置。
【請求項２】
請求項１記載の装置において、
前記第１レーザ光は、ＣＤ用レーザ光であり、
前記第２レーザ光は、ＤＶＤ用レーザ光あるいはＢＤ用レーザ光である
ことを特徴とする光ディスク装置。
【請求項３】
請求項１記載の装置において、
前記第１レーザ光は、ＤＶＤ用レーザ光であり、
前記第２レーザ光は、ＢＤ用レーザ光である
ことを特徴とする光ディスク装置。
【請求項４】
光ディスク装置の記録ストラテジを調整する方法であって、
光ディスクに第１レーザ光でテストデータを記録し、
前記テストデータを前記第１レーザ光の波長よりも短く、かつ、前記テストデータの最小ピット径よりもそのスポット径が小さい第２レーザ光で再生し、
再生して得られた前記テストデータの再生波形に基づいて、データを記録する際の記録ストラテジを調整する
ことを特徴とする光ディスク装置の記録ストラテジ調整方法。
【請求項５】
請求項４記載の方法において、
前記第１レーザ光は、ＣＤ用レーザ光であり、
前記第２レーザ光は、ＤＶＤ用レーザ光あるいはＢＤ用レーザ光である
ことを特徴とする光ディスク装置の記録ストラテジ調整方法。
【請求項６】
請求項１記載の方法において、
前記第１レーザ光は、ＤＶＤ用レーザ光であり、
前記第２レーザ光は、ＢＤ用レーザ光である
ことを特徴とする光ディスク装置の記録ストラテジ調整方法。
【発明の詳細な説明】
【技術分野】
【０００１】
本発明は光ディスク装置に関し、特に記録ストラテジの調整処理に関する。
【背景技術】
【０００２】
ＣＤ−Ｒ／ＲＷやＤＶＤ−Ｒ／ＲＷ、ＢＤなどの光ディスクに対してデータの記録再生を行う光ディスク装置（ドライブ）において、記録再生品質を確保するために記録パワーの最適化とともに記録ストラテジの調整を行う技術が提案されている。
【０００３】
特許文献１には、第１のパルスタイミングの記録ストラテジによるＯＰＣ処理で記録パルスの最適記録パワーを求め、この最適記録パワーの記録パルスで記録を行い、再生信号から記録マークの第１エッジシフト量を測定して記録パルスのエッジ補正を行って記録ストラテジの第２のパルスタイミングを形成し、その後、記録パルスのパルス幅を変えて記録を行い再生信号から記録マークの第２エッジシフト量を測定し、第１のエッジシフト量と第２のエッジシフト量とに基づいて記録パルスの最適なエッジパルスを演算する技術が開示されている。
【０００４】
【特許文献１】特開２００７−１４９２３９号公報
【発明の開示】
【発明が解決しようとする課題】
【０００５】
ＣＤ−Ｒ／ＲＷドライブやＤＶＤ−Ｒ／ＲＷドライブなどにおいては、最小ピット径よりも光スポット径が大きく、３Ｔ等（Ｔは基準クロック周期）データ長が短いほど発生頻度が極端に高くなることから、出現確率の高い３Ｔ等のデータ長を変更するとβ値が変化し、全体のバランスが大きく変化する。このため、ピット長およびランド長を正確に把握することが困難となり、記録ストラテジの調整に経験と勘が必要となっていた。例えば、３Ｔのデータ長を大きくするとβ値が上昇し、２値化のスライスレベルもこれに伴って上昇するため、全体的にピット長がランド長よりも短く観測されてしまい、調整を困難なものにする。また、再生時の光スポット径のばらつきにより記録ストラテジ調整時に想定した値よりも、実際の記録再生時にジッタが劣化してしまう場合もある。
【０００６】
本発明の目的は、記録ストラテジの調整を容易化し、これにより記録再生品質を向上できる光ディスク装置及び方法を提供することにある。
【課題を解決するための手段】
【０００７】
本発明は、光ディスク装置であって、光ディスクに第１レーザ光でテストデータを記録する記録手段と、前記テストデータを前記第１レーザ光の波長よりも短く、かつ、前記テストデータの最小ピット径よりもそのスポット径が小さい第２レーザ光で再生する再生手段と、前記再生手段で得られた前記テストデータの再生波形に基づいて、データを記録する際の記録ストラテジを調整する調整手段とを有する。
【０００８】
また、本発明は、光ディスク装置の記録ストラテジを調整する方法であって、光ディスクに第１レーザ光でテストデータを記録し、前記テストデータを前記第１レーザ光の波長よりも短く、かつ、前記テストデータの最小ピット径よりもそのスポット径が小さい第２レーザ光で再生し、再生して得られた前記テストデータの再生波形に基づいて、データを記録する際の記録ストラテジを調整する。
【発明の効果】
【０００９】
本発明によれば、記録ストラテジの調整を容易化し、これにより記録再生品質を向上することができる。
【発明を実施するための最良の形態】
【００１０】
以下、図面に基づき本発明の実施形態について説明する。
【００１１】
図１に、本実施形態における光ディスク装置の全体構成ブロック図を示す。ディスクトレイによりローディングされた光ディスク１０は、図示しないマグネットクランパによりクランプされ、ターンテーブル上に載置され、ターンテーブルとともにスピンドルモータ（ＳＰＭ）１２により回転駆動される。スピンドルモータＳＰＭ１２は、ドライバ１４で駆動され、ドライバ１４はサーボプロセッサ３０により所望の回転速度となるようにサーボ制御される。
【００１２】
光ピックアップ１６は、レーザ光を光ディスク１０に照射するためのレーザダイオード（ＬＤ）や光ディスク１０からの反射光を受光して電気信号に変換するフォトディテクタ（ＰＤ）を含み、光ディスク１０に対向配置される。光ディスク装置が複数種類の光ディスク、例えばＣＤとＤＶＤに対応可能ないわゆるコンボドライブである場合、複数のＬＤを有する。本実施形態では、光ピックアップ１６はＣＤ用ＬＤとＤＶＤ用ＬＤを備えるものとする。光ピックアップ１６はスレッドモータ１８により光ディスク１０の半径方向に駆動され、スレッドモータ１８はドライバ２０で駆動される。ドライバ２０は、ドライバ１４と同様にサーボプロセッサ３０によりサーボ制御される。また、光ピックアップ１６のＬＤはドライバ２２により駆動され、ドライバ２２は、オートパワーコントロール回路（ＡＰＣ）２４により、レーザパワーが所望の値となるように駆動電流が制御される。ＡＰＣ２４及びドライバ２２は、システムコントローラ３２からの指令によりＬＤの発光量を制御する。図ではドライバ２２は光ピックアップ１６と別個に設けられているが、ドライバ２２を光ピックアップ１６に搭載してもよい。
【００１３】
光ディスク１０にデータを記録する際には、ホストであるシステム側から供給された記録すべきデータはインターフェースＩ／Ｆ４０を介してエンコード／デコード回路３６に供給される。エンコード／デコード回路３６は、記録すべきデータをバッファメモリ３８に格納し、当該記録すべきデータをエンコードして変調データとしてライトストラテジ回路４２に供給する。ライトストラテジ回路４２は、変調データを記録ストラテジに従ってマルチパルス（パルストレーン）に変換し、記録データとしてドライバ２２に供給する。記録ストラテジは記録再生品質に影響することから、最適ストラテジに設定される。記録データによりパワー変調されたレーザ光は光ピックアップ１６のＣＤ用ＬＤあるいはＤＶＤ用ＬＤから照射されて光ディスク１０にデータが記録される。データを記録した後、光ピックアップ１６は再生パワーのレーザ光を照射して当該記録データを再生し、ＲＦ回路２６に供給する。ＲＦ回路２６は再生信号を２値化回路３４に供給し、２値化されたデータは、エンコード／デコード回路３６に供給される。エンコード／デコード回路３６は、ベリファイ処理を実行し、ベリファイの結果をシステムコントローラ３２に供給する。システムコントローラ３２はベリファイ結果に応じて引き続きデータを記録するか、あるいは予め確保された交代記録領域に交替記録するか、あるいはエラーで記録を中断するかを決定する。
【００１４】
図２に、図１における光ピックアップ１６の要部構成を示す。光ピックアップ１６は、光源としてＣＤ用ＬＤ１６ａとＤＶＤ用ＬＤ１６ｂを有する。ＣＤ用ＬＤ１６ａからのＣＤ用レーザ光は合波プリズム１６ｃに入射し、合波面で反射してレンズ１６ｄに入射し、光ディスク１０に照射される。一方、ＤＶＤ用ＬＤ１６ｂからのＤＶＤ用レーザ光も合波プリズム１６ｃに入射し、合波面を透過してレンズ１６ｄに入射し、光ディスク１０に照射される。装着された光ディスク１０がＣＤである場合、ＣＤ用ＬＤ１６ａが選択的に駆動される。また、装着された光ディスク１０がＤＶＤの場合に、ＤＶＤ用ＬＤ１６ｂが選択的に駆動される。すなわち、光ディスク１０としてＣＤ−Ｒ／ＲＷが装着された場合、システムコントローラ３２はＣＤ用ＬＤ１６ａを駆動してＣＤ用レーザ光を光ディスク１０に照射して記録再生を行う。光ディスク１０のＯＰＣ（Ｏｐｔｉｍｕｍ  Ｐｏｗｅｒ  Ｃｏｎｔｒｏｌ）エリアにＣＤ用レーザ光を照射し、記録パワーを種々変化させてテストデータを記録し、テストデータを再生してそのβ値を測定する。そして、目標β値となる記録パワーを最適記録パワーとして選択する。その後、この最適記録パワーで記録ストラテジを種々変化させてテストデータを記録し、記録したテストデータを再生してピット長およびランド長を評価することで所望のピット長及びランド長となるように記録ストラテジを調整する。光ディスク１０としてＤＶＤ−Ｒ／ＲＷが装着された場合、システムコントローラ３２はＤＶＤ用ＬＤ１６ｂを駆動してＤＶＤ用レーザ光を光ディスク１０に照射して記録再生を行う。光ディスク１０のＯＰＣ（Ｏｐｔｉｍｕｍ  Ｐｏｗｅｒ  Ｃｏｎｔｒｏｌ）エリアにＤＶＤ用レーザ光を照射し、記録パワーを種々変化させてテストデータを記録し、テストデータを再生してそのβ値を測定する。そして、目標β値となる記録パワーを最適記録パワーとして選択する。その後、この最適記録パワーで記録ストラテジを種々変化させてテストデータを記録し、記録したテストデータを再生してピット長およびランド長を評価することで所望のピット長及びランド長となるように記録ストラテジを調整する。
【００１５】
記録ストラテジは記録パルス条件であり、具体的には記録パルスのパルス幅やパルス間隔である。記録ストラテジは、通常、ディスクメーカ等によって推奨値が定められており、予め光ディスクの所定領域に推奨記録ストラテジとして記録されている。しかし、光ディスク装置ごとに光ピックアップの特性などが異なるため、光ディスク装置によっては、予め定められた記録ストラテジを用いて記録を行うと記録品質が十分に得られない場合がある。そこで、予め使用されることが予想される既知の光ディスクについて、予め光ディスク装置ごとにそれぞれ固有の最適記録ストラテジを求めておき、光ディスク装置に設けられるフラッシュＲＯＭのような不揮発性メモリに記憶させておくことも可能である。このような個々の最適記録ストラテジを用いることで、上記の推奨記録ストラテジを用いて記録を行う場合よりも記録品質を向上させることができる。しかし、既知ディスクの仕様変更や製造上のばらつきなどによって、光ディスク装置が予め保持している最適記録ストラテジを用いてデータ記録を行ったとしても記録品質が十分に得られない場合がある。また、最適記録ストラテジを予め求めていない未知の光ディスクについては、例えば、予め未知の光ディスク用に中庸の記録ストラテジを不揮発性メモリに記憶させ、あるいは光ディスクの所定領域に記録されているディスクメーカ等によって求められた推奨記録ストラテジをそのまま使用することも考えられるが、光ピックアップ１６のレーザダイオード波長やディスク面に対する光軸の傾角などはディスク装置ごとに個体差があるため、このような記録ストラテジを用いて記録を行っても記録品質が十分に得られない場合がある。以上の理由により、個々の光ディスク１０毎に記録ストラテジを最適値に調整する必要が生じる。
【００１６】
しかしながら、上述したように、光学スポット径は一般に最小ピット径よりも大きくなることから、３Ｔ等の短いデータ長の長さを変更するとβ値が変化し、全体のＴのバランスが大きく変化してピット長およびランド長を正確に評価することが困難となる。
【００１７】
図４〜図７に、３Ｔ／６Ｔのパターンの正常パターンと、ピット長が１Ｔだけ長い場合の再生波形を、再生スポット径を２Ｔ〜５Ｔと順次変化させて得られた結果を示す。図において、Ｎｏｒｍａｌは正常パターン、ＬｏｎｇＰｉｔＬｅｎｇｔｈはピット長が正常パターンに比べて１Ｔだけ長い場合を示す。図４は再生スポット径が２Ｔ、図５は再生スポット径が３Ｔ、図６は再生スポット径が４Ｔ、図７は再生スポット径は５Ｔの場合である。図４を参照すると、ピット長とランド長がそれぞれ正確に示されているが、図５、図６、図７と再生スポット径が増大するに従い、ピット長とランド長が不正確となる。図７のように再生スポット径が５Ｔとなると、ピット長が長い場合のβ値上昇が大きくなり、２値化のスライスレベルもこれに伴って上昇するから、全体的にピット長がランド長よりも短くなってしまう逆転現象が発生する。すなわち、本来であれば図４のように、ピット長がランド長よりも１Ｔだけ長くなければならないところ、逆に、ピット長の方がランド長よりも短く観測されてしまう。このように、再生スポット径が増大するとピット長及びランド長の正確な測定が困難となり、記録ストラテジの評価もこれに応じて困難となる。
【００１８】
そこで、本実施形態においては、再生スポット径がピット径に対して相対的に大きいことにより生じるピット長およびランド長評価の不正確さを抑制すべく、記録ストラテジを調整する際の再生スポット径を従来よりも小さく設定する。具体的には、光ディスク１０としてＣＤが装着された場合、従来においてはＣＤ用レーザ光を光ディスクに照射して最適記録パワーの選択および記録ストラテジの調整を行っているが、本実施形態では記録ストラテジの調整においてＣＤ用レーザ光でテストデータを記録するものの、このテストデータの再生にはＣＤ用レーザ光ではなくそれよりも光スポット径の小さいＤＶＤ用レーザ光を用いて再生する。そして、ＤＶＤ用レーザ光で再生したテストデータのピット長およびランド長を評価して記録ストラテジを調整する。ＣＤ用レーザ光の光スポット径は１．１μｍ程度で最小ピット径は０．８３３μｍである一方、ＤＶＤ用レーザ光の光スポット径は０．６９μｍで最小ピット径は０．４μｍである。すなわち、ＣＤ用レーザ光でテストデータを記録したときの最小スポット径０．８３３μｍよりも、ＤＶＤ用レーザ光のスポット径０．６９μｍの方が小さい。ＣＤ用レーザ光で記録したテストデータをＤＶＤ用レーザ光で再生することで、ＣＤ用レーザ光のみを用いてテストデータを評価する場合に生じる、光スポット径＞最小ピット径という制約を除去し、ピット長およびランド長を正確に評価することができる。
【００１９】
図３に、本実施形態の処理フローチャートを示す。光ディスク１０としてＣＤ−Ｒ／ＲＷが装着される場合を想定する。光ディスク１０が装着されると、システムコントローラ３２はＣＤ用ＬＤ１６ａを選択的に駆動してＯＰＣを実行する（Ｓ１０１）。すなわち、記録パワーを種々変化させてテストデータを記録し、各テストデータを再生してそのβ値を測定する。ＯＰＣのテストデータ再生には記録時と同様にＣＤ用レーザ光を用いる。β値が目標β値となるパワーを最適記録パワーとして選択する。
【００２０】
最適記録パワーを選択した後、次に記録ストラテジの調整処理に移行する。すなわち、Ｓ１０１で選択された最適記録パワーにてテストデータを試し書きする（Ｓ１０２）。このときの記録ストラテジは任意に選択した記録ストラテジでよく、予め定められた基準あるいは標準ストラテジでよい。そして、ＣＤ用レーザ光の最適記録パワーで試し書きしたテストデータを、ＤＶＤ用ＬＤ１６ｂを駆動してＤＶＤ用レーザ光により再生する（Ｓ１０３）。なお、ＣＤ用レーザ光とＤＶＤ用レーザ光とでは波長が異なり、ＣＤ−Ｒ／ＲＷとＤＶＤ−Ｒ／ＲＷとではデータ記録面までの距離も異なる。従って、ＣＤ用レーザ光で記録したテストデータをＤＶＤ用レーザ光で再生する際には一般に球面収差が生じることとなるが、この球面収差は光ディスク１０に至る光路上に球面収差補正器を挿入することで解消できる。球面収差補正器を光路上に挿入するのではなく、レーザ光を平行にするコリメータレンズの位置を光路に沿って移動させて球面収差を補正してもよい。
【００２１】
ＤＶＤ用レーザ光でテストデータを再生した後、システムコントローラ３２は、タイムインターバルアナライザ（ＴＩＡ）機能等を用いて再生波形のピット長およびランド長を評価する（Ｓ１０４）。そして、この評価結果に基づき記録ストラテジを調整する（Ｓ１０５）。具体的には、記録パルスのパルス幅（ピット長に対応）やパルス間隔（ランド長に対応）を増減調整する。
【００２２】
記録ストラテジを調整した後、システムコントローラ３２は再びＣＤ用ＬＤ１６ａを選択的に駆動してＣＤ用レーザ光を射出させ、最適記録パワーを再調整する（Ｓ１０６）。すなわち、Ｓ１０１と同様に再び記録パワーを種々変化させてテストデータを記録し、そのβ値が目標β値となる記録パワーを最適記録パワーとして再選択する。このときに使用する記録ストラテジはＳ１０５にて調整された最適記録ストラテジである。最適記録パワーを再調整する際、Ｓ１０１で選択された最適記録パワーを基準とし、その前後に所定幅だけ記録パワーを増減させて探索するのがよい。Ｓ１０６で最適記録パワーを再調整するのは、記録ストラテジが変化した場合、最適記録パワーもこれに応じて変化し得るからである。
【００２３】
このように、本実施形態においては記録ストラテジを調整する際に、ＣＤ用レーザ光でテストデータを記録し、ＣＤ用レーザ光よりも光スポット径の小さいＤＶＤ用レーザ光でテストデータを再生してピット長およびランド長を評価するので、ピット長およびランド長をより正確に評価でき、これにより記録ストラテジを容易かつ高精度に調整することができる。そして、記録ストラテジの調整が容易化及び高精度化できることから、記録再生品質が向上する。なお、Ｓ１０５にて記録ストラテジを調整する際に、さらに調整済みの記録ストラテジ及びＣＤ用レーザ光でテストデータを記録し、このテストデータをＣＤ用レーザ光で再生してβ値やジッタ、エラーレートを測定して記録ストラテジを再確認することもできる。
【００２４】
本実施形態においては、ＣＤ用ＬＤ１６ａとＤＶＤ用ＬＤ１６ｂを備えるコンボドライブを例に取り説明したが、ＤＶＤ用ＬＤとＢＤ用ＬＤを備えるコンボドライブについても同様に適用し得る。この場合、記録ストラテジを調整する際には、ＤＶＤ用レーザ光にてテストデータを記録し、ＢＤ用レーザ光にてテストデータを再生して記録ピット長およびランド長を評価すればよい。ＣＤ用ＬＤとＤＶＤ用ＬＤとＢＤ用ＬＤの３つの光源を備えるコンボドライブの場合も同様である。ＣＤ用の記録ストラテジを調整する際には、ＣＤ用レーザ光にてテストデータを記録し、ＤＶＤ用レーザ光にてテストデータを再生して記録ストラテジを調整する。ＤＶＤ用の記録ストラテジを調整する際には、ＤＶＤ用レーザ光でテストデータを記録し、ＢＤ用レーザ光にてテストデータを再生して記録ストラテジを調整する。
【００２５】
以上、本実施形態について説明したが、本発明は上記の実施形態に限定されるものではなく、種々の態様が可能である。例えば、本実施形態では、Ｓ１０６で再度最適記録パワーを調整しているが、この処理を行わなくてもよい。また、ＣＤ用の記録ストラテジを調整する際に、ＤＶＤ用レーザ光を使用しているが、必ずしもＤＶＤ用レーザ光である必要はなく、ＣＤの最小ピット径よりも光スポット径が小さくなるような波長のレーザ光であればいかなるＬＤでもよい。ＤＶＤ用の記録ストラテジを調整する場合も同様である。ＣＤ用ＬＤとＤＶＤ用ＬＤとＢＤ用ＬＤを備えたコンボドライブにおいて、ＣＤ用の記録ストラテジを調整する場合、ＣＤ用レーザ光で記録したテストデータをＢＤ用レーザ光で再生してもよい。また、ＬＤの切替だけでなく、対物レンズ開口数（ＮＡ）を大きくして光スポット径を小さくし、テストデータを再生して記録ストラテジを調整してもよい。
【図面の簡単な説明】
【００２６】
【図１】光ディスク装置の構成ブロック図である。
【図２】コンボドライブにおける光ピックアップの要部構成図である。
【図３】実施形態の処理フローチャートである。
【図４】再生スポット径が２Ｔにおけるテストデータの再生波形説明図である。
【図５】再生スポット径が３Ｔにおけるテストデータの再生波形説明図である。
【図６】再生スポット径が４Ｔにおけるテストデータの再生波形説明図である。
【図７】再生スポット径が５Ｔにおけるテストデータの再生波形説明図である。
【符号の説明】
【００２７】
１０  光ディスク、１６  光ピックアップ、３２  システムコントローラ。
【図１】
2010092551.tif 000003
【図２】
2010092551.tif 000004
【図３】
2010092551.tif 000005
【図４】
2010092551.tif 000006
【図５】
2010092551.tif 000007
【図６】
2010092551.tif 000008
【図７】
2010092551.tif 000009